(57)【要約】【課題】  同時放送の終了後において、視聴していた放送番組の継続視聴を可能とするように、同一伝送チャンネル内の複数の放送を、自動的に、適切に切り換える。【解決手段】  放送選択制御部１９２は、同時放送が終了した後に、Ａ階層放送及びＢ階層放送のいずれかにおいて、同時放送の状態の終了前における番組と同一の番組が、継続して放送される否かを、番組情報ＰＧＩに基づいて判定する。そして、放送選択制御部１９２は、当該判断の結果に基づき、選択ユニット１５０により選択されている一方の放送においては当該同一の番組が継続しておらず、選択ユニット１５０により選択されていない他方の放送においては当該同一の番組が継続していることを含む切換条件が満たされた場合に、選択ユニット１５０に対して、当該他方のコンテンツ復号結果への選択の切換制御を行う。【選択図】  図３
2010166282.tif 000002
【特許請求の範囲】
【請求項１】
第１放送及び第２放送を含む複数の放送波を受信する放送受信装置であって、
前記第１及び第２放送に関する再生前処理を行い、前記第１及び第２放送の番組情報の抽出結果、並びに、前記第１及び第２放送に対応する第１及び第２コンテンツ復号結果を生成する生成手段と；
前記第１及び第２放送により、同一番組が同一時間帯に放送される同時放送が行われているか否かを、前記生成手段による生成結果に基づいて判定する同時放送判定手段と；
前記同時放送が終了した後に、前記第１及び第２放送のいずれかにおいて、前記同時放送の状態の終了前における番組と同一の番組が、継続して放送されるか否かを、前記生成手段による生成結果に基づいて判定する番組継続判定手段と；
前記第１及び第２コンテンツ復号結果のいずれかを選択して出力する選択手段と；
前記選択手段に対して、前記第１及び第２コンテンツ復号結果のいずれを選択すべきかを制御する選択制御手段と；を備え、
前記番組継続判定手段により、前記選択手段により選択されている一方の放送においては前記同一の番組が継続しておらず、前記選択手段により選択されていない他方の放送においては前記同一の番組が継続していることを含む切換条件が満たされた場合に、前記選択制御手段が、前記選択手段に対して、前記他方のコンテンツ復号結果への選択の切換制御を行う、
ことを特徴とする放送受信装置。
【請求項２】
前記第１放送よりもエラー耐性が低い前記第２放送の放送波の受信品質を計測する計測手段を備え、
前記同時放送判定手段により同時放送の状態であると判定されている期間においては、前記選択制御手段は、
前記計測手段による受信品質の計測結果が所定受信品質未満である場合に、前記選択手段に対して、前記第１コンテンツ復号結果を選択させる選択制御を行い、
前記計測手段による受信品質の計測結果が前記所定受信品質以上である場合に、前記選択手段に対して、前記第２コンテンツ復号結果を選択させる選択制御を行う、
ことを特徴とする請求項１に記載の放送受信装置。
【請求項３】
前記切換条件には、前記計測手段による受信品質の計測結果に関する条件は含まれない、ことを特徴とする請求項２に記載の放送受信装置。
【請求項４】
前記他方の放送が前記第２放送である場合には、前記切換条件には、前記計測手段による受信品質の計測結果が前記所定受信品質以上であることが更に含まれる、ことを特徴とする請求項２に記載の放送受信装置。
【請求項５】
前記同時放送判定手段は、前記第１及び第２コンテンツ復号結果が、同一コンテンツに基づくものであるか否かを判定する同一性判定手段を備え、
前記同時放送判定手段は、前記番組情報に基づいて、同時放送であるか否かの判定ができないときに、前記同一性判定手段による判定結果に基づいて、同時放送であるか否かを判定する、
ことを特徴とする請求項１〜４のいずれか一項に記載の放送受信装置。
【請求項６】
前記番組継続判定手段は、前記同時放送の状態の終了前において前記生成手段により生成された番組情報に基づいて、前記同時放送後における前記他方の放送による前記同一の番組の継続を判定する、ことを特徴とする請求項１〜５のいずれか一項に記載の放送受信装置。
【請求項７】
移動体に搭載される、ことを特徴とする請求項１〜６のいずれか一項に記載の放送受信装置。
【請求項８】
第１放送及び第２放送を含む複数の放送波を受信する放送受信装置において使用される放送受信方法であって、
前記第１及び第２放送に関する再生前処理を行い、前記第１及び第２放送の番組情報の抽出結果、並びに、前記第１及び第２放送に対応する第１及び第２コンテンツ復号結果を生成する生成工程と；
前記第１放送及び第２放送により、同一番組が同一時間帯に放送される同時放送が行われているか否かを、前記生成工程における生成結果に基づいて判定する同時放送判定工程と；
前記同時放送が終了した後に、前記第１及び第２放送のいずれか一方において、前記同時放送における番組と、同一の番組が継続して放送されるか否かを、前記生成工程における生成結果に基づいて判定する番組継続判定工程と；
前記第１及び第２コンテンツ復号結果のいずれを再生出力用に選択すべきかを制御する選択制御工程と；を備え、
前記選択制御工程では、前記番組継続判定工程において、再生出力用として選択されている一方の放送においては前記同一の番組が継続しておらず、再生出力用としては選択されていない他方の放送においては前記同一の番組が継続していることを含む切換条件が満たされた場合に、前記他方のコンテンツ復号結果への選択の切換制御を行う、
ことを特徴とする放送受信方法。
【請求項９】
請求項８に記載の放送受信方法を演算手段に実行させる、ことを特徴とする放送受信プログラム。
【請求項１０】
請求項９に記載の放送受信プログラムが、演算手段により読み取り可能に記録されている、ことを特徴とする記録媒体。
【発明の詳細な説明】
【技術分野】
【０００１】
本発明は、放送受信装置、放送受信方法、放送受信プログラム、及び、当該放送受信プログラムが記録された記録媒体に関する。
【背景技術】
【０００２】
近年、放送のデジタル化が進められ、地上デジタル放送、ＢＳ（Broadcasting Satellite）デジタル放送及びＣＳ（Communication Satellite）放送が実用化されている。こうしたデジタル放送は、ＩＳＤＢ−Ｔ（International Services Digital Broadcasting - Terrestrial）規格に準拠した階層伝送と呼ばれる伝送方式を採用している。
【０００３】
かかる階層伝送は、１つのチャンネル（伝送帯域）内を複数の領域（「セグメント」と呼ばれる）に分割し、セグメントごとに異なる変調方式で放送信号を伝送して、異なる複数の放送を同一チャンネルで同時に放送する伝送方式である。例えば、現行の地上デジタル放送では、１チャンネル内を１３個のセグメントに分割して、Ａ階層として中心の１個のセグメントに１つの放送信号を変調し、Ｂ階層として残りの１２個のセグメントに他の１つの放送信号を変調するようになっている。そして、Ａ階層放送及びＢ階層放送において、同一の番組を同時に放送する同時放送（サイマル放送）が行われるようになっている。
【０００４】
また、現行の地上デジタル放送では、同時放送が行われている間において、１セグメントを使用した放送（以下、「ワンセグ放送」とも呼ぶ）、及び、１２セグメントを使用した放送（以下、「１２セグ放送」とも呼ぶ）のいずれか一方において、放送編成を動的に変更し、臨時放送や緊急警報放送等を行うことがある。このように同時放送中に動的な放送編成の変更が行われると、当該変更が行われた放送を対象として録画をしていた場合には、利用者が録画をすることを指定していた放送番組の再生時における継続性が維持されなくなってしまう。
【０００５】
そこで、録画指定がされた放送番組の再生時における継続性を維持するため、ワンセグ放送又は１２セグ放送の一方における動的な放送編成の変更に対応することができる技術が提案されている（特許文献１参照：以下「従来例」という）。この従来例の技術では、ワンセグ放送の放送内容と１２セグ放送の放送内容とを同時に記録し、例えば、１２セグ放送において放送編成が変更された期間における録画指定がされた放送番組の内容を、再生時において、事後的に、当該放送番組が放送されていたワンセグ放送の放送内容で補完するようになっている。
【先行技術文献】
【特許文献】
【０００６】
【特許文献１】特開２００８−２５２５９０号公報
【発明の概要】
【発明が解決しようとする課題】
【０００７】
ところで、地上デジタル放送では、野球中継等の放送番組の複数の階層放送による同時放送について、一つの階層放送に関しては番組終了予定時刻通りに当該放送番組を終了するが、当該一つの階層放送とは別の階層放送により放送編成を変更して当該放送番組を継続して放送するサービスが広がる傾向にある。こうした同時放送の終了後における当該放送番組のリアルタイムでの継続視聴については、従来例の技術は録画後の再生時において、事後的に、当該放送番組に関する補完を行うのみなので、実現することができない。このため、視聴者は、当該放送番組のリアルタイムでの継続視聴には、再生対象放送の人手による切換操作を行うことが必要であった。
【０００８】
このため、同時放送の終了後、それまで視聴していた放送番組の継続放送を検出して、再生対象放送として、ワンセグ放送と１２セグ放送とを自動的に適切に切り換え、当該放送番組の継続視聴を可能とする技術が待望されている。かかる要請に応えることが、本発明が解決すべき課題の一つとして挙げられる。
【０００９】
本発明は、上記の事情を鑑みてなされたものであり、同時放送の終了後において、視聴していた放送番組の継続視聴を可能とするように、同一伝送チャンネル内の複数の放送を、自動的に、適切に切り換えることができる新たな放送受信装置及び放送受信方法を提供することを目的とする。
【課題を解決するための手段】
【００１０】
請求項１に記載の発明は、第１放送及び第２放送を含む複数の放送波を受信する放送受信装置であって、前記第１及び第２放送に関する再生前処理を行い、前記第１及び第２放送の番組情報の抽出結果、並びに、前記第１及び第２放送に対応する第１及び第２コンテンツ復号結果を生成する生成手段と；前記第１及び第２放送により、同一番組が同一時間帯に放送される同時放送が行われているか否かを、前記生成手段による生成結果に基づいて判定する同時放送判定手段と；前記同時放送が終了した後に、前記第１及び第２放送のいずれかにおいて、前記同時放送の状態の終了前における番組と同一の番組が、継続して放送されるか否かを、前記生成手段による生成結果に基づいて判定する番組継続判定手段と；前記第１及び第２コンテンツ復号結果のいずれかを選択して出力する選択手段と；前記選択手段に対して、前記第１及び第２コンテンツ復号結果のいずれを選択すべきかを制御する選択制御手段と；を備え、前記番組継続判定手段により、前記選択手段により選択されている一方の放送においては前記同一の番組が継続しておらず、前記選択手段により選択されていない他方の放送においては前記同一の番組が継続していることを含む切換条件が満たされた場合に、前記選択制御手段が、前記選択手段に対して、前記他方のコンテンツ復号結果への選択の切換制御を行う、ことを特徴とする放送受信装置である。
【００１１】
請求項８に記載の発明は、第１放送及び第２放送を含む複数の放送波を受信する放送受信装置において使用される放送受信方法であって、前記第１及び第２放送に関する再生前処理を行い、前記第１及び第２放送の番組情報の抽出結果、並びに、前記第１及び第２放送に対応する第１及び第２コンテンツ復号結果を生成する生成工程と；前記第１放送及び第２放送により、同一番組が同一時間帯に放送される同時放送が行われているか否かを、前記生成工程における生成結果に基づいて判定する同時放送判定工程と；前記同時放送が終了した後に、前記第１及び第２放送のいずれか一方において、前記同時放送における番組と、同一の番組が継続して放送されるか否かを、前記生成工程における生成結果に基づいて判定する番組継続判定工程と；前記第１及び第２コンテンツ復号結果のいずれを再生出力用に選択すべきかを制御する選択制御工程と；を備え、前記選択制御工程では、前記番組継続判定工程において、再生出力用として選択されている一方の放送においては前記同一の番組が継続しておらず、再生出力用としては選択されていない他方の放送においては前記同一の番組が継続していることを含む切換条件が満たされた場合に、前記他方のコンテンツ復号結果への選択の切換制御を行う、ことを特徴とする放送受信方法である。
【００１２】
請求項９に記載の発明は、請求項８に記載の放送受信方法を演算手段に実行させる、ことを特徴とする放送受信プログラムである。
【００１３】
請求項１０に記載の発明は、請求項９に記載の放送受信プログラムが、演算手段により読み取り可能に記録されている、ことを特徴とする記録媒体である。
【図面の簡単な説明】
【００１４】
【図１】本発明の一実施形態に係る放送受信装置の構成を概略的に示すブロック図である。
【図２】図１のソースデコードユニットの構成を示すブロック図である。
【図３】図１の制御ユニットの構成を示すブロック図である。
【図４】図１の装置による階層切換処理を説明するためのフローチャートである。
【図５】図４における第１継続切換処理を説明するためのフローチャートである。
【図６】図４における第２継続切換処理を説明するためのフローチャートである。
【発明を実施するための形態】
【００１５】
以下、本発明の一実施形態を、図１〜図６を参照して説明する。なお、以下の説明及び図面においては、同一又は同等の要素には同一の符号を付し、重複する説明を省略する。
【００１６】
［構成］
図１には、一実施形態に係る放送受信装置１００の概略的な構成がブロック図にて示されている。この放送受信装置１００は、車両に搭載され、地上デジタル放送においてＡ階層放送（ワンセグ放送）とＢ階層放送（１２セグ放送）とを受信する放送受信装置である。
【００１７】
この図１に示されるように、放送受信装置１００は、アンテナ１１０と、ＲＦ処理ユニット１２０と、チャンネルデコードユニット１３０と、ソースデコードユニット１４０と、選択手段としての選択ユニット１５０とを備えている。また、放送受信装置１００は、音出力ユニット１６０と、表示ユニット１７０と、操作入力ユニット１８０とを備えている。さらに、放送受信装置１００は、制御ユニット１９０を備えている。
【００１８】
上記のアンテナ１１０は、放送波を受信する。アンテナ１１０による受信結果は、受信信号ＲＦＳとしてＲＦ処理ユニット１２０へ送られる。
【００１９】
上記のＲＦ処理ユニット１２０は、制御ユニット１９０から供給された選局指令ＣＳＬに従って、選択すべきチャンネルの信号を受信信号ＲＦＳから抽出する選局処理を行う。かかる機能を有するＲＦ処理ユニット１２０は、入力フィルタ、高周波増幅器、バンドパスフィルタ（以下、「ＲＦフィルタ」とも呼ぶ）、ミキサ（混合器）、中間周波フィルタ（以下、「ＩＦフィルタ」とも呼ぶ）、局部発振回路等（いずれも不図示）を備えて構成されている。
【００２０】
このＲＦ処理ユニット１２０では、アンテナ１１０からの受信信号ＲＦＳが、入力フィルタを通過することにより、帯域外成分が除去された後、高周波増幅器により増幅される。こうして高周波増幅器により増幅された信号は、ＲＦフィルタにより、特定の高周波数範囲の信号が抽出された後、ミキサにおいて、制御ユニット１９０からの選局指令ＣＳＬに従って局部発振回路により生成された希望局に対応する周波数を有する局部発振信号と混合される。ミキサによる混合結果からＩＦフィルタにより予め定められた中間周波数帯の信号が選択される。この選択結果が、アナログデジタル変換された後、信号ＣＳＳとして、チャンネルデコードユニット１３０へ送られる。
【００２１】
なお、選局指令ＣＳＬはデジタル形式で制御ユニット１９０から出力されるが、デジタルアナログ変換された後に、局部発振回路において利用されるようになっている。
【００２２】
上記のチャンネルデコードユニット１３０は、制御ユニット１９０による制御のもとで、ＲＦ処理ユニット１２０からの信号ＣＳＳのＯＦＤＭ（Orthogonal Frequency Division Multiplex）復調処理等を行った後、復調結果に基づくデータパケット生成を行う。こうして生成されたパケットＰＫＤは、ソースデコードユニット１４０へ送られる。なお、チャンネルデコードユニット１３０から送られるパケットＰＫＤには、Ａ階層パケットＡＰＫ及びＢ階層パケットＢＰＫが含まれている（図２参照）。
【００２３】
上記のソースデコードユニット１４０は、制御ユニット１９０による制御のもとで、チャンネルデコードユニット１３０からのパケットＰＫＤを処理して、選択ユニット１５０へ供給するためのＡ階層データＡＡＶ及びＢ階層データＢＡＶを生成する。かかる機能を有するソースデコードユニット１４０は、図２に示されるように、生成手段の一部、計測手段としてのパケット分離部１４１と、生成手段の一部としてのＡ階層処理部１４２と、生成手段の一部としてのＢ階層処理部１４３とを備えている。さらに、ソースデコードユニット１４０は、番組情報取得部１４４と、同一性判定手段としてのコンテンツ評価部１４５とを備えている。
【００２４】
上記のパケット分離部１４１は、チャンネルデコードユニット１３０からのパケットＰＫＤを受ける。そして、パケット分離部１４１は、パケットＰＫＤをＡ階層パケットＡＰＫ及びＢ階層パケットＢＰＫに分離する。こうして分離されたＡ階層パケットＡＰＫ及びＢ階層パケットＢＰＫは、それぞれ、Ａ階層処理部１４２及びＢ階層処理部１４３へ送られる。
【００２５】
また、パケット分離部１４１は、Ｂ階層パケットＢＰＫにおけるエラーを検出する。こうして検出されたエラーは、Ｂ階層パケットエラーＢＰＥとして、制御ユニット１９０へ送られる。
【００２６】
また、パケット分離部１４１は、パケットＰＫＤを解析して、逐次、ＳＩ（Service Information）情報を取得する。そして、パケット分離部１４１は、ＳＩ情報から、ＥＰＧ（Electronic Program Guide）情報を生成するとともに、Ａ階層放送における番組名、番組開始時刻などが記された現在番組情報、次番組情報を含むイベント情報テーブル（以下、「L-EIT[p/f]情報」と呼ぶ）、及び、Ｂ階層放送における番組名、番組開始時刻などが記された現在番組情報、次番組情報を含むイベント情報テーブル（以下「H-EIT[p/f]情報」と呼ぶ）を抽出する。こうして生成されたＥＰＧ情報、並びに、抽出されたL-EIT[p/f]情報及びH-EIT[p/f]情報は、データＬＨＤとして、逐次、番組情報取得部１４４へ送られる。
【００２７】
上記のＡ階層処理部１４２は、パケット分離部１４１からのＡ階層パケットＡＰＫを受ける。そして、Ａ階層処理部１４２は、制御ユニット１９０による制御のもとで、地上デジタル放送におけるＡ階層放送に採用されているＨ．２６４／ＡＶＣ方式でエンコード化されたＡ階層パケットＡＰＫのソースデコード処理を行い、Ａ階層放送に対応する音声データ及び映像データであるＡ階層データＡＡＶを生成する。こうして生成されたＡ階層データＡＡＶは、コンテンツ評価部１４５、及び、選択ユニット１５０へ送られる。
【００２８】
上記のＢ階層処理部１４３は、パケット分離部１４１からのＢ階層パケットＢＰＫを受ける。そして、Ｂ階層処理部１４３は、制御ユニット１９０による制御のもとで、地上デジタル放送におけるＢ階層放送に採用されているＭＰＥＧ２方式でエンコード化されたＢ階層パケットＢＰＫのソースデコード処理を行い、Ｂ階層放送に対応する音声データ及び映像データであるＢ階層データＢＡＶを生成する。こうして生成されたＢ階層データＢＡＶは、コンテンツ評価部１４５、及び、選択ユニット１５０へ送られる。
【００２９】
上記の番組情報取得部１４４は、パケット分離部１４１からＥＰＧ情報、並びに、L-EIT[p/f]情報及びH-EIT[p/f]情報を含むデータＬＨＤを受ける。そして、番組情報取得部１４４は、L-EIT[p/f]情報に基づき、Ａ階層放送における現在番組情報及び次番組情報を含むＡ階層番組情報を抽出するとともに、H-EIT[p/f]情報に基づき、Ｂ階層放送における現在番組情報及び次番組情報を含むＢ階層番組情報を抽出する。こうして抽出されたＡ階層番組情報及びＢ階層番組情報、並びに、ＥＰＧ情報は、番組情報ＰＧＩとして制御ユニット１９０へ送られる。
【００３０】
上記のコンテンツ評価部１４５は、Ａ階層処理部１４２からのＡ階層データＡＡＶを受けるとともに、Ｂ階層処理部１４３からのＢ階層データＢＡＶを受ける。そして、コンテンツ評価部１４５は、Ａ階層データＡＡＶ及びＢ階層データＢＡＶにおける映像コンテンツ及び音声コンテンツの内容が、同一コンテンツに基づくものであるか否かを判定する。こうした判定は、例えば、Ａ階層放送及びＢ階層放送における同期ずれ時間を検出し、当該検出した同期ずれ時間を考慮した上で行われる。かかる判定の結果は、コンテンツ一致情報ＣＴＩとして制御ユニット１９０へ送られる。
【００３１】
図１に戻り、上記の選択ユニット１５０は、ソースデコードユニット１４０からのＡ階層データＡＡＶ及びＢ階層データＢＡＶを受ける。そして、選択ユニット１５０は、制御ユニット１９０による選択指令ＳＬＳに従って、Ａ階層データＡＡＶ及びＢ階層データＢＡＶのいずれかを選択する。こうして選択ユニット１５０において選択された階層データにおける音声データが、出力音声データＡＤＴとして音出力ユニット１６０へ送られる。また、選択ユニット１５０において選択された階層データにおける映像データが、出力映像データＶＤＴとして表示ユニット１７０へ送られる。
【００３２】
上記の音出力ユニット１６０は、（ｉ）選択ユニット１５０から受信した出力音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１６０により、選択ユニット１５０において選択された放送の音声が再生される。
【００３３】
上記の表示ユニット１７０は、例えば、（ｉ）液晶パネル、有機ＥＬ（Electro Luminescence）パネル、ＰＤＰ（Plasma Display Panel）等の表示デバイスと、（ii）選択ユニット１５０から受信した出力映像データＶＤＴに従って、当該表示デバイスに画像を表示させる表示制御回路とを備えている。この表示ユニット１７０により、選択ユニット１５０において選択された放送の映像が再生される。
【００３４】
上記の操作入力ユニット１８０は、放送受信装置１００の本体部に設けられたキー部、及び／又はキー部を備えるリモート入力装置等により構成される。ここで、本体部に設けられたキー部としては、表示ユニット１７０の表示デバイスに設けられたタッチパネルを用いることができる。また、キー部を有する構成に代えて、又は併用して音声認識技術を利用して音声にて入力する構成を採用することもできる。
【００３５】
この操作入力ユニット１８０を利用者が操作することにより、放送受信装置１００の動作内容の設定が行われる。例えば、選局チャンネルの指定等を、利用者が操作入力ユニット１８０を利用して行う。操作入力ユニット１８０への操作入力結果は、操作入力データＩＰＤとして制御ユニット１９０へ送られる。
【００３６】
上記の制御ユニット１９０は、放送受信装置１００の動作の制御を行う。かかる機能を有する制御ユニット１９０は、図３に示されるように、選局制御部１９１と、同時放送判定手段、番組継続判定手段、選択制御手段としての放送選択制御部１９２とを備えている。
【００３７】
上記の選局制御部１９１は、操作入力ユニット１８０に入力された選局チャンネル指定を操作入力データＩＰＤとして受ける。そして、選局制御部１９１は、当該選局チャンネル指定に従って、指定されたチャンネルの選択を行わせるための選局指令ＣＳＬを生成し、ＲＦ処理ユニット１２０へ送る。
【００３８】
上記の放送選択制御部１９２は、パケット分離部１４１からのＢ階層パケットエラーＢＰＥを受ける。また、放送選択制御部１９２は、番組情報取得部１４４、コンテンツ評価部１４５のそれぞれから、番組情報ＰＧＩ、コンテンツ一致情報ＣＴＩを受ける。そして、放送選択制御部１９２は、Ｂ階層パケットエラーＢＰＥ、番組情報ＰＧＩ、コンテンツ一致情報ＣＴＩを総合的に勘案して、選択ユニット１５０に対して出力する、Ａ階層データＡＡＶ及びＢ階層データＢＡＶのいずれを選択すべきかを指定した選択指令ＳＬＳを生成する。
【００３９】
かかる選択指令ＳＬＳの生成に際して、放送選択制御部１９２は、Ｂ階層パケットエラーＢＰＥの発生頻度に基づいて、放送波の受信品質を評価する。
【００４０】
また、放送選択制御部１９２は、Ａ階層放送及びＢ階層放送が、同一番組が同一時間帯に放送される同時放送であるか否かを判定する。この判定に際して、放送選択制御部１９２は、番組情報ＰＧＩに含まれるＥＰＧ情報、並びに、Ａ階層放送における現在番組情報、及び、Ｂ階層放送における現在番組情報に基づき、Ａ階層放送及びＢ階層放送が、同一番組であるか否かを判定する。そして、放送選択制御部１９２は、番組情報ＰＧＩに基づき、同一番組でないと判定した場合であっても、コンテンツ評価部１４５から同一コンテンツである旨のコンテンツ一致情報ＣＴＩを受けた場合には、Ａ階層放送及びＢ階層放送が同時放送であると判定する。
【００４１】
また、放送選択制御部１９２は、番組情報ＰＧＩに含まれるＥＰＧ情報、並びに、Ａ階層番組情報及びＢ階層番組情報に基づいて、同時放送が終了した後に、Ａ階層放送及びＢ階層放送のいずれかにおいて、同時放送の状態の終了前における番組と同一の番組が継続して放送されるか否かを判定する。こうした評価処理、判定処理に基づいた階層放送間における切換に関する処理については、後述する。
【００４２】
なお、階層放送間の切換の指標の一つとなる受信品質の値の所定の閾値は、実験、シミュレーション、経験等に基づいて、予め定められるようになっている。
【００４３】
［動作］
以上のようにして構成された放送受信装置１００の動作について、制御ユニット１９０におけるＡ階層データＡＡＶ及びＢ階層データＢＡＶの階層切換処理に主に着目して説明する。
【００４４】
放送受信装置１００では、ＲＦ処理ユニット１２０において選局処理が行われ、チャンネルデコードユニット１３０においてパケットＰＫＤの生成処理が行われている（図１参照）。そして、ソースデコードユニット１４０におけるパケット分離部１４１が、パケットＰＫＤをＡ階層パケットＡＰＫ及びＢ階層パケットＢＰＫに分離するとともに、Ｂ階層パケットＢＰＫにおけるエラーを検出して、その検出結果であるＢ階層パケットエラーＢＰＥを放送選択制御部１９２へ送る。また、パケット分離部１４１は、パケットＰＫＤを解析して、ＰＩ情報からＥＰＧ情報を生成するとともに、L-EIT[p/f]情報及びH-EIT[p/f]情報を抽出し、データＬＨＤとして番組情報取得部１４４へ送る（図２参照）。
【００４５】
分離されたＡ階層パケットＡＰＫ及びＢ階層パケットＢＰＫは、それぞれ、Ａ階層処理部１４２及びＢ階層処理部１４３へ送られる。そして、Ａ階層処理部１４２では、Ａ階層パケットＡＰＫからＡ階層データＡＡＶが生成され、選択ユニット１５０、コンテンツ評価部１４５へ逐次送られる。また、Ｂ階層処理部１４３では、Ｂ階層パケットＢＰＫからＢ階層データＢＡＶが生成され、選択ユニット１５０、コンテンツ評価部１４５へ逐次送られる（図２参照）。
【００４６】
番組情報取得部１４４では、データＬＨＤに含まれるL-EIT[p/f]情報に基づき、Ａ階層放送における現在番組情報及び次番組情報を含むＡ階層番組情報を抽出するとともに、H-EIT[p/f]情報に基づき、Ｂ階層放送における現在番組情報及び次番組情報を含むＢ階層番組情報を抽出する。そして、番組情報取得部１４４は、ＥＰＧ情報、並びに、Ａ階層番組情報及びＢ階層番組情報を、番組情報ＰＧＩとして放送選択制御部１９２へ送る。また、コンテンツ評価部１４５は、Ａ階層データＡＡＶ及びＢ階層データＢＡＶにおける映像コンテンツ及び音声コンテンツの内容が、同一コンテンツに基づくものであるか否かを判定して、判定の結果を、コンテンツ一致情報ＣＴＩとして放送選択制御部１９２へ送る（図３参照）。
【００４７】
本実施形態の階層切換処理においては、図４に示されるように、まず、ステップＳ１１において、放送選択制御部１９２が、Ｂ階層パケットエラーＢＰＥの発生頻度に基づいて、放送波の受信品質の値が所定の閾値以上であるか否かを判定する。なお、本実施形態においては、「開始」時においては、Ａ階層放送及びＢ階層放送が同時放送になっているものとする。
【００４８】
このステップＳ１１における判定の結果が否定的であった場合（ステップＳ１１：Ｎ）、すなわち、放送波の受信品質が不良状態である場合には、処理はステップＳ１２へ進む。
【００４９】
ステップＳ１２では、放送選択制御部１９２が、Ａ階層データＡＡＶを選択すべき旨の選択指令ＳＬＳを生成し、当該指令を選択ユニット１５０へ向けて出力する。この後、処理はステップＳ１３へ進む。
【００５０】
このステップＳ１３では、放送選択制御部１９２が、Ａ階層放送及びＢ階層放送が、同一番組が同一時間帯に放送される同時放送中であるか否かを判定する。かかる同時放送の判定処理に際して、放送選択制御部１９２は、番組情報取得部１４４からの番組情報ＰＧＩに基づき、Ａ階層放送及びＢ階層放送が、同一番組を放送していると判断できる場合には、この段階で、Ａ階層放送及びＢ階層放送が同時放送中であると判定する。また、放送選択制御部１９２は番組情報ＰＧＩから同一番組を放送していると判断できない場合には、コンテンツ評価部１４５から同一コンテンツである旨のコンテンツ一致情報ＣＴＩを受けた場合に、Ａ階層放送及びＢ階層放送が同時放送であると判断する。こうしたステップＳ１３における判定の結果が肯定的であった場合（ステップＳ１３：Ｙ）には、処理はステップＳ１４へ進む。
【００５１】
ステップＳ１４では、上述したステップＳ１１と同様に、放送選択制御部１９２が、放送波の受信品質の値が所定の閾値以上であるか否かを判定する。この判定の結果が肯定的であった場合（ステップＳ１４：Ｙ）、すなわち、放送波の受信品質が良好状態になった場合には、処理は、後述するステップＳ１６へ進む。一方、ステップＳ１４における判定の結果が否定的であった場合（ステップＳ１４：Ｎ）、すなわち、放送波の受信品質の不良状態が継続している場合には、処理はステップＳ１３へ戻る。
【００５２】
一方、ステップＳ１３における判定の結果が否定的であった場合（ステップＳ１３：Ｎ）、すなわち、同時放送が終了した場合には、処理はステップＳ１５へ進む。
【００５３】
このステップＳ１５では、第１継続切換処理が行われる。この第１継続切換処理では、図５に示されるように、まず、ステップＳ２１において、放送選択制御部１９２が、Ｂ階層放送における現在番組情報及び次番組情報に基づき、Ｂ階層放送において、同時放送の状態の終了前における番組と同一の番組が継続して放送されるか否かを判定する。この判定の結果が肯定的であった場合（ステップＳ２１）には、処理はステップＳ２２へ進む。
【００５４】
このステップＳ２２では、放送選択制御部１９２が、次番組が開始される時刻に、Ｂ階層データＢＡＶを選択すべき旨の選択指令ＳＬＳを生成し、当該指令を選択ユニット１５０へ向けて出力する。この後、処理はステップＳ２３へ進む。
【００５５】
ステップＳ２３では、放送選択制御部１９２が、Ａ階層放送及びＢ階層放送が、同時放送であるか否かを判定する。この判定の結果が否定的であった場合（ステップＳ２３：Ｎ）には、ステップＳ２３の処理が繰り返される。
【００５６】
一方、ステップＳ２３における判定の結果が肯定的になると（ステップＳ２３：Ｙ）、処理は、図４のステップＳ１１へ戻る。また、ステップＳ２１における判定の結果が否定的であった場合（ステップＳ２１：Ｎ）にも、処理は、図４のステップＳ１１へ戻る。
【００５７】
ステップＳ１１における判定の結果が肯定的であった場合（ステップＳ１１：Ｙ）、すなわち、放送波の受信品質が良好状態である場合には、処理はステップＳ１６へ進む。
【００５８】
ステップＳ１６では、放送選択制御部１９２が、Ｂ階層データＢＡＶを選択すべき旨の選択指令ＳＬＳを生成し、当該指令を選択ユニット１５０へ向けて出力する。この後、処理はステップＳ１７へ進む。
【００５９】
このステップＳ１７では、上述したステップＳ１３と同様に、放送選択制御部１９２が、Ａ階層放送及びＢ階層放送が、同時放送中であるか否かを判定する。この判定の結果が肯定的であった場合（ステップＳ１７：Ｙ）には、処理はステップＳ１８へ進む。
【００６０】
ステップＳ１８では、上述したステップＳ１１と同様に、放送選択制御部１９２が、放送波の受信品質の値が所定の閾値以上であるか否かを判定する。この判定の結果が否定的であった場合（ステップＳ１８：Ｎ）、すなわち、放送波の受信品質が不良状態になった場合には、処理はステップＳ１２へ戻る。一方、ステップＳ１８における判定の結果が肯定的であった場合（ステップＳ１８：Ｙ）、すなわち、放送波の受信品質が良好状態を維持している場合には、処理はステップＳ１７へ戻る。
【００６１】
一方、ステップＳ１７における判定の結果が否定的であった場合（ステップＳ１７：Ｎ）、すなわち、同時放送が終了した場合には、処理はステップＳ１９へ進む。
【００６２】
このステップＳ１９では、第２継続切換処理が行われる。この第２継続切換処理では、図６に示されるように、まず、ステップＳ３１において、放送選択制御部１９２が、Ａ階層放送における現在番組情報及び次番組情報に基づき、Ａ階層放送において、同時放送の状態の終了前における番組と同一の番組が継続して放送されるか否かを判定する。この判定の結果が肯定的であった場合（ステップＳ３１：Ｙ）には、処理はステップＳ３２へ進む。
【００６３】
このステップＳ３２では、放送選択制御部１９２が、次番組が開始される時刻に、Ａ階層データＡＡＶを選択すべき旨の選択指令ＳＬＳを生成し、当該指令を選択ユニット１５０へ向けて出力する。この後、処理はステップＳ３３へ進む。
【００６４】
ステップＳ３３では、放送選択制御部１９２が、Ａ階層放送及びＢ階層放送が、同時放送であるか否かを判定する。この判定の結果が否定的であった場合（ステップＳ３３：Ｎ）には、ステップＳ３３の処理が繰り返される。
【００６５】
一方、ステップＳ３３における判定の結果が肯定的になると（ステップＳ３３：Ｙ）、処理は、図４のステップＳ１１へ戻る。また、ステップＳ３１における判定の結果が否定的であった場合（ステップＳ３１：Ｎ）にも、処理は、図４のステップＳ１１へ戻る。
【００６６】
上記の切換制御処理が実行されることにより、Ａ階層データＡＡＶ及びＢ階層データＢＡＶの階層切換処理が行われる。
【００６７】
以上説明したように、本実施形態では、パケット分離部１４１が、Ｂ階層放送の復調結果のエラーであるＢ階層パケットエラーＢＰＥを検出して、当該エラーを放送選択制御部１９２へ送る。また、番組情報取得部１４４が、ＥＰＧ情報を生成するとともに、Ａ階層放送における現在番組情報及び次番組情報を含むＡ階層番組情報、及び、Ｂ階層放送における現在番組情報及び次番組情報を含むＢ階層番組情報を抽出して、番組情報ＰＧＩとして放送選択制御部１９２へ送る。さらに、コンテンツ評価部１４５が、Ａ階層放送及びＢ階層放送が、同一コンテンツに基づくものであるか否かを判定して、当該判定の結果を、コンテンツ一致情報ＣＴＩとして放送選択制御部１９２へ送る。
【００６８】
放送選択制御部１９２は、Ｂ階層パケットエラーＢＰＥ、番組情報ＰＧＩ、コンテンツ一致情報ＣＴＩを総合的に勘案して、選択ユニット１５０に対して出力する選択指令ＳＬＳを生成する。この放送選択制御部１９２は、番組情報ＰＧＩ及びコンテンツ一致情報ＣＴＩに基づいて、Ａ階層放送及びＢ階層放送において同時放送が行われているか否かを判定する。また、放送選択制御部１９２は、同時放送が終了した後に、Ａ階層放送及びＢ階層放送のいずれかにおいて、同時放送の状態の終了前における番組と同一の番組が、継続して放送されるか否かを、番組情報ＰＧＩに基づいて判定する。そして、放送選択制御部１９２は、当該判断の結果に基づき、選択ユニット１５０により選択されている一方の放送においては当該同一の番組が継続しておらず、選択ユニット１５０により選択されていない他方の放送においては当該同一の番組が継続していることを含む切換条件が満たされた場合に、選択ユニット１５０に対して、当該他方のコンテンツ復号結果への選択の切換制御を行う。
【００６９】
したがって、本実施形態によれば、同時放送の終了後において、視聴していた放送番組の継続視聴を可能とするように、同一伝送チャンネル内の複数の放送を、自動的に、適切に切り換えることができる。
【００７０】
［実施形態の変形］
本発明は、上記の実施形態に限定されるものではなく、様々な変形が可能である。
【００７１】
例えば、上記の実施形態では、Ｂ階層放送の受信品質として、Ｂ階層パケットエラーを検出して考慮するようにしたが、Ｂ階層データにおけるビットエラー率、ＣＮＲ（Carrier to Noise Ratio）、ＡＧＣ（Auto Gain Control）電圧等を検出して考慮するようにしてもよい。
【００７２】
また、上記の実施形態では、放送波の受信品質の値に基づいて、Ａ階層放送からＢ階層放送へ切り換えるときの閾値と、Ｂ階層放送からＡ階層放送へ切り換えるときの閾値を同一とした。これに対して、Ａ階層放送からＢ階層放送へ切り換えるときの閾値を、Ｂ階層放送からＡ階層放送へ切り換えるときの閾値に比べて高く設定する等、両放送間の切換閾値を異なる値にしてもよい。
【００７３】
また、上記の実施形態では、Ａ階層放送とＢ階層放送との２階層の放送が同一伝送チャンネルに含まれることにしたが、同一伝送チャンネルに含まれる階層放送の数は、３以上であってもよい。
【００７４】
また、上記の実施形態では、放送波の受信品質が不良状態である場合においても、同時放送が終了した後に、Ｂ階層放送において同時放送の状態の終了前における番組と同一の番組が継続して放送されていると判断したときは、Ｂ階層放送に切り換えることとした。これに対して、受信品質が不良状態である期間においては、Ａ階層放送を、視聴し続けるようにしてもよい。
【００７５】
また、上記の実施形態では、同時放送が終了した後に、同時放送の状態の終了前における番組と同一の番組が継続して放送されるか否かの判定を、各階層放送における現在番組情報及び次番組情報に基づいて行った。これに対して、各階層放送における次番組情報が取得できない場合には、同時放送終了前の現在番組情報と、同時放送終了後の現在番組情報とに基づいて、同時放送の状態の終了前における番組と同一の番組が継続して放送されているか否かを判定するようにしてもよい。
【００７６】
また、上記の実施形態では、コンテンツ評価部がＡ階層放送及びＢ階層放送における同期ずれ時間を検出することとした。これに対して、当該同期ずれ時間が利用者に違和感を与えるようなものであれば、Ａ階層処理部及びＢ階層処理部の後段に、Ａ階層放送及びＢ階層放送における同期ずれ時間を検出する検出部を備えるようにしてもよい。この場合においては、コンテンツ評価部、及び、選択ユニットは、当該同期ずれ時間を補正したＡ階層データ及びＢ階層データを処理することになる。
【００７７】
また、本実施形態では、放送番組の継続視聴を行うための階層放送間の切り換えを自動的に行うようにしたが、こうした自動切換を行うか否かを利用者が設定できるようにしてもよい。
【００７８】
また、上記の実施形態においては、車両に搭載される放送受信装置に本発明を適用したが、車両以外の他の移動体に搭載される放送受信装置にも本発明を適用することもできるし、また、例えば、家庭内等に設置される放送受信装置に本発明を適用することもできる。
【００７９】
また、本発明は、日本国におけるデジタル放送波を受信する放送受信装置に限らず、国際的に承認されているデジタルテレビ放送のための標準規格であるＤＶＢ（Digital Video Broadcasting）を採用したデジタルテレビ放送波を受信する放送受信装置に適用することができるのは勿論である。
【００８０】
なお、上記の実施形態における制御ユニット１９０の一部又は全部を中央処理装置（ＣＰＵ：Central Processing Unit）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【００８１】
１００  …  放送受信装置
１４１  …  パケット分離部（生成手段の一部、計測手段）
１４２  …  Ａ階層処理部（生成手段の一部）
１４３  …  Ｂ階層処理部（生成手段の一部）
１４５  …  コンテンツ評価部（同一性判定手段）
１５０  …  選択ユニット（選択手段）
１９２  …  放送選択制御部（同時放送判定手段、番組継続判定手段、選択制御手段）
【図１】
2010166282.tif 000003
【図２】
2010166282.tif 000004
【図３】
2010166282.tif 000005
【図４】
2010166282.tif 000006
【図５】
2010166282.tif 000007
【図６】
2010166282.tif 000008